(57)【要約】  【課題】上下方向にスライドして開閉するタイプの扉であって、扉の上下動作が安定し、動作が円滑に行われる上下スライド扉装置を提供すること。  【解決手段】扉１と、該扉１を上下方向に案内する扉ガイドレール５と、上部案内プーリ２と下部案内プーリ３と、前記扉１と同等重量のバランサ４、ワイヤ７と、仮停止状態の解除によって弾性付勢力を緩衝させながら移動するフック部材８２が具備されたクローザ８とからなること。前記扉１と前記バランサ４とは、前記上部案内プーリ２と前記下部案内プーリ３を介して前記ワイヤ７にてループ状に連結されること。前記扉１の上下移動動作は、前記クローザ８を介して上下終端位置で移動案内されること。    【選択図】図１
2007332717.tif 000002
【特許請求の範囲】
【請求項１】
扉と、該扉を上下方向に案内する扉ガイドレールと、上部案内プーリと下部案内プーリと、前記扉と同等重量のバランサ、ワイヤと、仮停止状態の解除によって弾性付勢力を緩衝させながら移動するフック部材が具備されたクローザとからなり、前記扉と前記バランサとは、前記上部案内プーリと前記下部案内プーリを介して前記ワイヤにてループ状に連結されると共に、前記扉の上下移動動作は、前記クローザを介して上下終端位置で移動案内されてなることを特徴とする上下スライド扉装置。
【請求項２】
請求項１において、前記クローザは扉ガイドレール側に装着されると共に、前記クローザのフック部材と係合し且つ仮停止状態を解除してクローザ内に移動する被係合部材は前記扉側の上下両側箇所に装着されてなることを特徴とする上下スライド扉装置。
【請求項３】
請求項１において、前記クローザは前記扉側に装着されると共に、前記クローザのフック部材と係合し且つ仮停止状態を解除してクローザ内に移動する被係合部材は前記扉ガイドレール側の上下両側箇所に装着されてなることを特徴とする上下スライド扉装置。
【請求項４】
請求項１，２又は３において、前記バランサには、前記上下方向に案内するバランサガイドレールが具備されてなることを特徴とする上下スライド扉装置。
【請求項５】
請求項１，２，３又は４において、前記扉ガイドレールと前記バランサガイドレールとは隣接した状態で一体成形されてなることを特徴とする上下スライド扉装置。
【請求項６】
請求項１，２，３，４又は５において、前記上部案内プーリ部と前記下部案内プーリ部の少なくともいずれか一方にはテンションプーリが装着されてなることを特徴とする上下スライド扉装置。
【請求項７】
請求項６において、前記テンションプーリは、垂直面上を揺動する揺動腕部に軸支され、該揺動腕部は螺子部材と螺子受部によって揺動動作してなることを特徴とする上下スライド扉装置。
【請求項８】
請求項１，２，３，４，５，６又は７において、前記扉は、２個具備され、内方に位置する扉とバランサと前記ワイヤによって構成されるループは、外方側の扉によるループの内周側に位置してなることを特徴とする上下スライド扉装置。
【請求項９】
請求項１，２，３，４，５，６，７又は８において、前記バランサはベース部材と複数の板状錘とからなり、該錘板部は着脱自在としてなることを特徴とする上下スライド扉装置。
【発明の詳細な説明】
【技術分野】
【０００１】
本発明は、上下方向にスライドして開閉するタイプの扉であって、扉の上下動作が安定し、動作が円滑に行われる上下スライド扉装置に関する。
【背景技術】
【０００２】
従来、棚やキャビネットにおいて、扉が上下方向にスライドして開閉を行うタイプの扉装置が存在している。この種のもので特に多くのタイプを代表するものとして、特許文献１が存在する。この特許文献１に開示された内容では、扉とワイヤとウエイトから構成され、扉と同一重量のウエイトがプーリを介してバランスを保ちながら、扉の開閉を行おうとするものである。なお、ワイヤ，ウエイト及びプーリは、キャビネット外部に装着されているが、これらの部材がキャビネットの内部に装着されたものも存在している。
【特許文献１】実開平５−２０６３７号公報
【発明の開示】
【発明が解決しようとする課題】
【０００３】
扉は錘によって、上下動を行うものであるが、扉と錘とで重量的なバランスを保ちながら、扉を上下動させて、開閉動作を行っている。しかし、扉を上下動するときに、長期の使用に亘って、プーリが円滑に回転できなくなったり、或いはワイヤが何らかの原因で途中で引っ掛かる等して扉の上下動作が鈍くなったり、重くなったりして円滑な動作を行うことができなくなることがある。
【０００４】
また、上述したようにプーリとワイヤとが滑らかに動作しないと、プーリとワイヤとの間に滑りが発生して相互にこすれあって、磨耗する等の不都合な状態となる。本発明が解決しようとする課題（技術的課題又は目的）は、キャビネットの家具等において、上下動する扉とワイヤとバランサとの動作をより一層、円滑にして、扉の上下開閉における動作を良好にすることを実現させることにある。
【課題を解決するための手段】
【０００５】
そこで、発明者は、上記課題を解決するために、鋭意、研究を重ねた結果、請求項１の発明を、扉と、該扉を上下方向に案内する扉ガイドレールと、上部案内プーリと下部案内プーリと、前記扉と同等重量のバランサ、ワイヤと、仮停止状態の解除によって弾性付勢力を緩衝させながら移動するフック部材が具備されたクローザとからなり、前記扉と前記バランサとは、前記上部案内プーリと前記下部案内プーリを介して前記ワイヤにてループ状に連結されると共に、前記扉の上下移動動作は、前記クローザを介して上下終端位置で移動案内されてなる上下スライド扉装置としたことにより、上記課題を解決した。
【０００６】
請求項２の発明を、前述の構成において、前記クローザは扉ガイドレール側に装着されると共に、前記クローザのフック部材と係合し且つ仮停止状態を解除してクローザ内に移動する被係合部材は前記扉側の上下両側箇所に装着されてなる上下スライド扉装置としたことにより、上記課題を解決した。
【０００７】
請求項３の発明を、前述の構成において、前記クローザは前記扉側に装着されると共に、前記クローザのフック部材と係合し且つ仮停止状態を解除してクローザ内に移動する被係合部材は前記扉ガイドレール側の上下両側箇所に装着されてなる上下スライド扉装置としたことにより、上記課題を解決した。請求項４の発明を、前述の構成において、前記バランサには、前記上下方向に案内するバランサガイドレールが具備されてなる上下スライド扉装置としたことにより、上記課題を解決した。
【０００８】
請求項５の発明を、前述の構成において、前記扉ガイドレールと前記バランサガイドレールとは隣接した状態で一体成形されてなる上下スライド扉装置としたことにより、上記課題を解決した。請求項６の発明を、前述の構成において、前記上部案内プーリ部と前記下部案内プーリ部の少なくともいずれか一方にはテンションプーリが装着されてなる上下スライド扉装置としたことにより、上記課題を解決した。
【０００９】
請求項７の発明を、前述の構成において、前記テンションプーリは、垂直面上を揺動する揺動腕部に軸支され、該揺動腕部は螺子部材と螺子受部によって揺動動作してなる上下スライド扉装置としたことにより、上記課題を解決した。請求項８の発明を、前述の構成において、前記扉は、２個具備され、内方に位置する扉とバランサと前記ワイヤによって構成されるループは、外方側の扉によるループの内周側に位置してなる上下スライド扉装置としたことにより、上記課題を解決した。請求項９の発明を、前述の構成において、前記バランサはベース部材と複数の錘板部とからなり、該錘板部は着脱自在としてなる上下スライド扉装置としたことにより、上記課題を解決した。
【発明の効果】
【００１０】
請求項１の発明では、扉と、該扉を上下方向に案内する扉ガイドレール、上部案内プーリと下部案内プーリと、前記扉と同等重量のバランサ、ワイヤと、仮停止状態の解除によって弾性付勢力を緩衝させながら移動するフック部材が具備されたクローザとからなり、前記扉と前記バランサとは、前記上部案内プーリと前記下部案内プーリを介して前記ワイヤにてループ状に連結されると共に、前記扉の上下移動動作は、前記クローザを介して上下終端位置で移動案内されることにより、上下移動する扉の開閉が終端位置まで確実に案内されるのである。
【００１１】
前記クローザは、仮停止状態の解除によって弾性付勢力を緩衝させながら移動するフック部材が具備されたものであり、弾性付勢力とその弾性付勢力を緩衝させる構成であるために、扉の上方向移動では、扉ガイドレールの上部終端位置に接近すると、クローザを介して上方向に引き上げられる構成となり、開閉動作を楽にすることができる。また前記扉の下方向移動では、扉がたとえ重量が大きくても、扉ガイドレールの下方終端位置で、前記クローザによる緩衝作用にて下降速度が減速され、衝撃のない静かな戸閉ができるものである。
【００１２】
このように、請求項１の発明では、扉とバランサとワイヤとがループ状に構成され、且つクローザが設けられたことにより、扉が上昇及び下降のいずれの動作を行っても、扉及びバランサの上方側のワイヤ及び下方側のワイヤには適正な緊張が存在し、扉の上下いずれの移動においても極めて安定した動作を実現でき、その上下移動の終端位置での停止も確実且つ静かに行われるものである。
【００１３】
すなわち、プーリが何らかの理由によって回転しにくい状態となったり、バランサをガイドするレールに対する移動が円滑にできにくい状態となっても、前記扉とバランサとがループ状となっているので、扉を移動させると、該扉の上下に接続されたワイヤによって、バランサが必ず引っ張られることになり、ワイヤが弛むことなく、常時確実な動作を行うことができる。
【００１４】
請求項２の発明は、前記クローザは扉ガイドレール側に装着されると共に、前記クローザのフック部材と係合し且つ仮停止状態を解除してクローザ内に移動する被係合部材は前記扉側の上下両側箇所に装着されることにより、前記扉側に被係合部材を装着することで、扉側の構造を極めて簡単なものにすることができる。
【００１５】
請求項３の発明は、前記クローザは前記扉側に装着されると共に、前記クローザのフック部材と係合し且つ仮停止状態を解除してクローザ内に移動する被係合部材は前記扉ガイドレール側の上下両側箇所に装着されることにより、扉ガイドレールには前記被係合部材のみが装着され、前記扉ガイドレールの構造を簡単にすることができる。
【００１６】
請求項４の発明は、前記バランサには、前記上下方向に案内するバランサガイドレールが具備されることにより、バランサの上下動の移動動作を極めて安定したものにできる。請求項５の発明は、前記扉ガイドレールと前記バランサガイドレールとは隣接した状態で一体成形されることにより、キャビネット等の家具への組付け作業が効率的で行い易くすることができる。また一体成形されたことにより、扉ガイドレールとバランサガイドレールとの最も適正な位置に設定することができるものである。
【００１７】
請求項６の発明は、前記上部案内プーリ部と前記下部案内プーリ部の少なくともいずれか一方にはテンションプーリが装着されることにより、ワイヤには常時適正な緊張を与えることができる。請求項７の発明は、前記テンションプーリは、垂直面上を揺動する揺動腕部に軸支され、該揺動腕部は螺子部材と螺子受部によって揺動動作してなることにより、ワイヤに対する緊張の調整が前記螺子部材により、極めて簡単に行うことができる。
【００１８】
請求項８の発明は、前記扉は、２個具備され、内方に位置する扉とバランサと前記ワイヤによって構成されるループは、外方側の扉によるループの内周側に位置したことにより、２個の扉構造を構成するワイヤが干渉することなく、いずれの扉にも相互に影響されることなく、それぞれ確実な上下移動動作を行うことができる。
【００１９】
請求項９の発明は、前記バランサはベース部材と複数の錘板部とからなり、該錘板部は着脱自在としたことにより、扉の重量に応じてバランサの重量も変化させることできる。これによって、多数のキャビネットに装着する扉の重量が各種異なったとしても、バランサの重量も、前記扉の重量に応じて調整することにより、極めて多様性のある装置にすることができる。
【発明を実施するための最良の形態】
【００２０】
以下、本発明の実施形態を図面に基づいて説明する。本発明の構成は主に、図１乃至図５等に示すように、扉１と、上部案内プーリ部２、下部案内プーリ３、バランサ４、扉ガイドレール５、バランサガイドレール６、ワイヤ７及びクローザ８等から構成される。まず、前記扉１は図２，図５，図６，図７等に示すように、扉本体枠部１０と扉窓枠部１２とから構成されている。そして、前記扉本体枠部１０には、幅方向両側に略「コ」字形状の溝部１０１，１０１が形成され、扉ガイドローラ１３が前記溝部１０１を構成するフランジ１０１ａに軸支装着されている。また前記扉ガイドローラ１３は、前記扉本体枠部１０の上下方向両側箇所に装着されている。
【００２１】
前記扉１には、図７に示すように、扉支持部材１４が装着される。該扉支持部材１４は、前記溝部１０１のフランジ片１０１ａに装着される。そして、前記扉支持部材１４には、後述するワイヤ７が接続される。さらに、扉支持部材１４には、図３，図４，図７に示すように、後述する被係合部材９が装着され、後述するクローザ８と共に、扉１の上下動終端位置での戸閉め方向へのアシスト及び戸閉め時における衝撃を緩衝する役目をなすものである。
【００２２】
上部案内プーリ部２は、図１，図３及び図４等に示すように、上部扉側プーリ２１と上部バランサ側プーリ２２とから構成されている。前記上部扉側プーリ２１は、図１，図３に示すように、前記扉１の扉ガイドレール５の上方に位置して配置装着され、前記上部バランサ側プーリ２２は、後述するバランサ４のバランサガイドレール６の上方に位置して配置装着される。また、下部案内プーリ３は、図１，図３及び図４等に示すように、下部扉側プーリ３１と下部バランサ側プーリ３２とから構成されている。前記下部扉側プーリ３１は、前記扉１の扉ガイドレール５の下方に位置して配置装着され、前記下部バランサ側プーリ３２は、バランサガイドレール６の下方に位置して配置装着される。
【００２３】
次に、バランサ４は、前記扉１に対する重量的なバランスを保つ錘としての役目をなすものであり、図５，図１０に示すように、ベース部４１と複数の板状錘４２，４２，…とから構成される。前記ベース部４１は、複数の板状錘４２，４２，…がボルト４３ａ・ナット４３ｂからなる固着具４３にて着脱自在に構成されている〔図１０（Ｃ）参照〕。前記ベース部材４１は、略長方形状に形成された板状材であり、後述するワイヤ７が接続される連結孔４１ａが上下両側に形成されている。
【００２４】
また、前記板状錘４２は、金属板が使用され、前記バランサ４が前記扉１と同一重量（略同一重量も含む）となるように、板状錘４２，４２，…の枚数が設定される〔図１０（Ｃ）参照〕。そして、板状錘４２にも固定用貫通孔４２ａが形成され、該固定用貫通孔４２ａに前記固着具４３のボルト４３ａが貫通するようになっており、所定枚数の板状錘４２，４２，…が前記固着具４３によって前記ベース部４１に固定される。
【００２５】
さらに、前記ベース部４１の裏面側には、バランサ案内部４４が具備されている。該バランサ案内部４４は、図５，図１０（Ｂ），（Ｃ）に示すように、後述するバランサガイドレール６に従って上下移動するときに安定した状態で作動できるようにする役目をなすものである。前記バランサ案内部４４の具体的な実施形態としては、図１１に示すように、バランサガイドローラ４４１が装着されたものである。該バランサガイドローラ４４１は、バランサガイドレール６の両バランサガイドレール部６２，６２間に装着される。
【００２６】
前記バランサガイドローラ４４１は、図１１（Ｂ），（Ｃ）に示すように、大径ローラ４４１ａとして形成されたものと、図１１（Ｄ），（Ｅ）に示すように、小径ローラ４４１ｂとがある。大径ローラ４４１ａは、図１１（Ａ），（Ｂ），（Ｃ）に示すように、両バランサガイドレール部６２，６２の間隔より僅かに小さく形成されたものであり、前記ベース部４１の上下方向両側箇所に形成される。前記大径ローラ４４１ａは、直径方向において、前記両バランサガイドレール部６２，６２のいずれか一方側に接触すればよく、他方側はバランサガイドレール部６２から僅かに離間していることが望ましい。
【００２７】
また、前記小径ローラ４４１ｂのものでは、図１１（Ｄ），（Ｅ）に示すように、前記両バランサガイドレール部６２，６２のそれぞれに接触するようにして前記ベース部４１の裏面で且つ幅方向両側で互い違い状態となるようにして装着されている。前記小径ローラ４４１ｂでは、それぞれが各バランサガイドレール部６２に接触して回転しながら上下方向の移動ができるようになっている。前記小径ローラ４４１ｂは、図１１（Ｅ）に示すように、前記ベース部４１の幅方向両側に上下方向に沿って互い違いとなるように、装着されたものであり、該ベース部４１の幅方向両側に位置する小径ローラ４４１ｂが適正な接触圧にて接触している。これによって、ベース部４１は、両バランサガイドレール部６２，６２に対して、ガタツキがなく、上下移動することができる。
【００２８】
次に、扉ガイドレール５は、図１，図５，図８に示すように、レールベース５１に扉レール部５２，５２が形成されたものである。前記レールベース５１は、平板状に形成され、複数の扉レール部５２が上下方向に平行に形成されている。そして、該扉レール部５２は、前記扉１の個数と同数（実施形態では２本）となるように設けられる。該扉レール部５２は、図８に示すように、断面略半円形状であり、前記扉ガイドローラ１３が回転走行することができる。
【００２９】
次に、バランサガイドレール６は、図１，図５，図８に示すように、バランサレールベース６１にバランサガイドレール部６２，６２が形成されたものである。該バランサガイドレール部６２は、図８に示すように、前記バランサレールベース６１に対して垂直状の立上り部６２ａが形成され、該立上り部６２ａの頂部には幅方向内方側に突出するようにして膨出部６２ｂが形成されている。該膨出部６２ｂには後述するバランサ４のバランサ案内部４４に装着されたバランサガイドローラ（大径ローラ４４１a又は小径ローラ４４１ｂ）が走行する。
【００３０】
ワイヤ７は、図３に示すように、前記扉１と前記バランサ４とを前記上部案内プーリ部２と下部案内プーリ３とを介してループを構成する状態となるように連結される。ここで、前記扉１と前記バランサ４との上方同士が連結されるワイヤ７の部位を上側ワイヤ部７１と称する（図３参照）。また、前記扉１と前記バランサ４の下方同士が連結されるワイヤ７の部位を下側ワイヤ部７２と称する。そして、前記上側ワイヤ部７１と下側ワイヤ部７２とが、前記扉１とバランサ４とを介して前記ループが構成される。
【００３１】
２個の扉１,１によって扉装置が構成される実施形態では、前記上側ワイヤ部７１と下側ワイヤ部７２とから構成されるワイヤ７と，扉１と，バランサ４とによって構成されるループが２つとなる（図３参照）。そして、前記扉１が装着されるキャビネットＡの開口部の最外側に位置する扉１と前記バランサ４によって構成するループが外周ループ部Ｌｏを構成する。また、前記キャビネットＡの開口部の直前側に位置する扉１と前記バランサ４によって構成されるループが内周ループ部Ｌｉを構成し、前記外周ループ部Ｌｏの内方側に前記内周ループ部Ｌｉが配置される２重ループ構造となる（図１，図３，図４，図１６参照）。
【００３２】
前記上側ワイヤ部７１は、前記上部案内プーリ部２を介して前記扉１と前記バランサ４の重量を受けて緊張状態にある。また、前記下部側ワイヤ７２は、図４（Ａ），図９に示すように、テンションプーリ機構２３によって、ワイヤ７の緊張状態を適宜調整することができ、適正な緊張状態が与えられるようになっている。
【００３３】
また前記ワイヤ７によるループ構成に前記テンションプーリ機構２３が装着されていない実施形態も存在するが、この場合には前記上側ワイヤ部７１には、予め緊張が与えられている。前記テンションプーリ機構２３は、図９に示すように、揺動腕部２３ａ、テンションプーリ２３ｂ，螺子部材２４及び螺子受部２５から構成されている。前記揺動腕部２３ａは、垂直面上を揺動するようにして、前記レールベース５１の上方に枢支連結されている。
【００３４】
前記テンションプーリ２３ｂは、前記揺動腕部２３ａに軸支され、該揺動腕部２３ａの揺動中心位置を中心として、揺動動作ができるようになっている。さらに、該揺動腕部２３ａの揺動自由端側には、螺子受部２５によって支持された螺子部材２４が配置されている。前記螺子受部２５は、内螺子孔が形成され前記螺子部材２４の螺子軸部が螺合したものである。前記螺子受部２５は、前記扉ガイドレール５の上方にビス等の固着具にて固着されたものである。
【００３５】
そして、前記螺子部材２４を適宜回転させることにより、前記揺動腕部２３ａを揺動により傾動させ、適宜の傾斜角に設定することにより、前記テンションプーリ２３ｂがワイヤ７によって構成されたループに適正なテンション（緊張）を与えることができる。前記テンションプーリ機構２３は、前記上部案内プーリ部２と前記下部案内プーリ３の少なくともいずれか一方に装着されるものであり、該下部案内プーリ３側に前記テンションプーリ機構３３が装着されても構わない（図１６，図１７参照）。
【００３６】
次に、クローザ８は、図１２（Ａ）,（Ｂ）に示すように、クローザケーシング８０内に摺動部材８１，フック部材８２，弾性引張具８３及び緩衝部材８４が装着されたものである。そして、前記クローザケーシング８０内にて、適宜の領域を摺動する摺動部材８１に回動自在にフック部材８２が装着され、前記摺動部材８１が弾性引張具８３を介して常時戸閉側に付勢され、且つ該弾性引張具８３の弾性力を減少させる緩衝部材８４〔図１２（Ｃ）参照〕による抵抗力Ｔにて、前記フック部材８２に係止された状態から前記摺動部材８１の摺動領域を戸閉方向に移動する構造である。
【００３７】
前記クローザ８は、前記扉ガイドレール５に装着される。さらに、具体的には、クローザ８は、前記扉レール部５２の上下両側に装着されている〔図１、図２，図４（Ａ），（Ｂ）等参照〕。また、前記クローザ８は、扉ガイドレール５のレールベース５１の垂直壁面部５１ａに固着具５３にて固着されている（図５参照）。
【００３８】
前記フック部材８２は、回動基部８２１と被係止片８２２ａと被当接片８２２ｂとから構成される。該被係止片８２２ａと被当接片８２２ｂとは、略平行状態となっている。その被係止片８２２ａは、被当接片８２２ｂよりも短く形成されている〔図１２（Ａ），図１３（Ａ）及び図１４，図１５等参照〕。前記緩衝部材８４は、摺動部材８１を移動方向に弾性的に付勢する弾性引張具８３の弾性力Ｆを減少させる抵抗力Ｔを発生するものである。
【００３９】
前記摺動部材８１は、図１２（Ａ），（Ｂ）に示すように、略角軸状の摺動本体部８１１の長手方向に沿ってラック部８１２が形成されている。該ラック部８１２は、多数の歯片から形成され、後述する緩衝部材８４の抵抗歯車８４１と噛み合う箇所となる。その摺動本体部８１１の長手方向一端側には、図１２（Ｂ）に示すように、枢支連結部８１３が形成されている。
【００４０】
該枢支連結部８１３には、連結軸片８１３ａが形成され、該連結軸片８１３ａ を介して、図１２（Ｂ）に示すように、後述するフック部材８２と枢支連結されるものである。さらに前記枢支連結部８１３の付近には、弾性引張具８３の端部が固着される弾性引張具連結部８１４が形成されている。また、前記摺動本体部８１１には、後述するクローザケーシング８０側に形成された摺動規制部８０１に係合する摺動規制突起８１５が形成されている〔図１３（Ｂ）参照〕。該摺動規制突起８１５は、前記摺動部材８１の長手方向において戸閉側寄り端部に形成され、且つ摺動部材８１の長手方向に直交する方向に突出形成されたものである。
【００４１】
また、前記被係止片８２２ａと被当接片８２２ｂ との間の形状は略Ｕ字形状の凹み部８２２ｃとなっており、該凹み部８２２ｃ に後述する被係合部材９の被係合突起９２が挿入することができるようになっている〔図１２（Ａ），（Ｂ）参照〕。前記フック部材８２の回動基部８２１は、前記摺動部材８１に枢支連結され、前記フック部材８２が前記摺動部材８１に対して垂直面上に回動自在となる（図１４，図１５参照）。前記フック部材８２には、ガイド突起８２４が形成されている。該ガイド突起８２４は、後述するクローザケーシング８０に形成された補助案内部８０２に挿入され、前記フック部材８２をクローザケーシング８０の長手方向に沿って良好に移動させるとともに、そのフック部材８２の回動動作も良好且つ正確に行わせようとするものである〔図１３（Ｂ）参照〕。
【００４２】
次に、前記扉１に装着された扉支持部材１４は、図６，図７に示すように、接合片１４ａと、腕状片１４ｂと、固定片１４ｃとから形成されている。前記接合片１４ａは、前記扉１の上下方向中央箇所に装着されており、前記溝部１０１のフランジ１０１ａに固着される。前記腕状片１４ｂには、前記ワイヤ７が接合されるワイヤ接合孔１４ｄが上下両側箇所に形成されている。
【００４３】
その上方のワイヤ接合孔１４ｄには、前記上側ワイヤ部７１が接続され、下方側のワイヤ接合孔１４ｄには下側ワイヤ部７２が接続されている。図７（Ａ）に示された扉支持部材１４は、キャビネットＡの開口から離れて位置する外側の扉１に装着されるタイプのものである。また、図７（Ｂ）に示された扉支持部材１４は、キャビネットＡの開口に直前に位置する内側の扉１に装着されるタイプのものである。さらに、前記固定片１４ｃの上下両側には、図１，図３，図４，図７等に示すように、それぞれ被係合部材９が上下反対となるようにして装着されている。該被係合部材９は、図７に示すように、軸部９１の先端に被係合突起９２が形成されたものであり、前記軸部９１が前記固定片１４ｃに固着される。
【００４４】
前記クローザ８と被係合部材９による扉１の移動動作を説明する。まず、前記扉１を上方に移動させる場合には、該扉１を手動（人力）によって上方に移動させる。そして、図１４（Ｂ）に示すように、前記扉支持部材１４を介して前記被係合部材９の被係合突起９２は、前記フック部材８２に当接且つ係合することになる。
【００４５】
さらに、前記扉１をそのまま上方に移動させると、前記被係合突起９２が、前記フック部材８２を少しだけ押し上げることになり、該フック部材８２が揺動することによって、該フック部材８２の仮停止が解除される。仮停止状態が解除されると該フック部材８２は、前記クローザケーシング８０内に装着された弾性引張具８３の弾性力Ｆが緩衝部材８４の抵抗力Ｔによって減少させられながら、前記摺動部材８１が低速度にて弾性引張具８３の引張方向に移動する〔図１４（Ｂ），（Ｃ）参照〕。
【００４６】
すなわち、図１２（Ａ）に示すように、前記緩衝部材８４の抵抗歯車８４１は、前記摺動部材８１のラック部８１２と噛み合い、摺動部材８１を移動させる弾性力Ｆに対する抵抗力Ｔを生じて、弾性力Ｆから抵抗力Ｔを差し引いた戸閉力Ｐにより、摺動部材８１及びフック部材８２を閉じ側に移動させるものである。そして、扉１は、Ｆ−Ｔ＝Ｐによる力にて上下方向に移動するものである。
【００４７】
さらに、前記フック部材８２と係合された被係合突起９２と共に前記軸部９１が前記クローザケーシング８０内部に向かって導かれるようにして案内移動され〔図１５（Ａ）参照〕、該クローザケーシング８０内に引き込まれる〔図１５（Ｂ）参照〕。これによって、前記扉１は、移動終端位置までクローザ８によって案内移動され、その移動速度が減速されながら停止位置にて静粛に停止することができる。
【００４８】
また、前記クローザ８が前記扉ガイドレール５の下方側に配置された場合においても同様であり、前記扉１は最初に人力によって降下させられ、前記被係合部材９の被係合突起９２が前記クローザ８のフック部材８２に係合すると、該フック部材８２は、前記被係合突起９２に少しだけ押し下げられて、仮停止が解除され、内部の弾性引張具８３の弾性力が緩衝部材８４によって減少させられながら前記摺動部材８１が低速度にて下方に移動し、これによって、前記扉１は下方終端位置まで減速させられつつ、停止位置にて停止することができる。
【００４９】
このように、扉ガイドレール５の上方位置に配置されたクローザ８は、前記扉１を上方終端位置において、減速又は衝撃を緩衝しながら、引き上げて停止させる役目をする。また扉ガイドレール５の下方位置に配置されたクローザ８は、前記扉１を下方終端位置において、減速又は衝撃を緩衝しながら、引き下げて停止させる役目をする。前記クローザケーシング８０内に装着された弾性引張具８３は、弾性による引張力を発生させて、前記摺動部材８１を強制的に移動させる役目をなすものである。略軸状で且つ可撓性を有するコイルスプリングが使用されている。
【００５０】
そして、コイルスプリングとしたものでは、前記クローザケーシング８０内に略横「Ｕ」字形状に屈曲して配置装着されている〔図１２（Ａ）参照〕。コイルスプリング（弾性引張具８３）は、前記フック部材８２が仮停止状態のときには、延びた状態で且つ緊張状態にある。そして、仮停止状態が解除されたフック部材８２は、コイルスプリングの弾性力Ｆによって引張方向に引き付けるようになっている。
【００５１】
また、弾性引張具８３の別の実施形態として、図２０に示すように、その弾性源にゼンマイが使用されたものが存在する。これは、図２０（Ａ）に示すように、ドラムケース８３１、ゼンマイ８３２及び引張ケーブル８３３とから構成されている。そして、図２０（Ｂ）に示すように、前記ドラムケース８３１にゼンマイ８３２が内装され、さらに前記ドラムケース８３１の外周には引張ケーブル８３３が巻き付けられている。前記ドラムケース８３１は、クローザケーシング８０の長手方向端部箇所に回動自在に軸支されている。
【００５２】
前記ゼンマイ８３２は、その弾性中心部８３２ａがドラムケース８３１の回動中心部でクローザケーシング８０から突出形成されたドラム支持軸８３４によって固着され、他端はドラムケース８３１内の適所に固着されている。前記ゼンマイ８３２は、通常は、弾性中心部８３２ａの周囲の渦巻き間隔が大きい状態にセットされている〔図２０（Ｂ）参照〕。そして、ドラムケース８３１の外周に巻きつけられている引張ケーブル８３３の一端は、ドラムケース８３１の外周の適所に固着されており、他端は前記フック部材８２の弾性引張具連結部８１４に連結されている。
【００５３】
該フック部材８２が仮停止状態にあるときは、引張ケーブル８３３がドラムケース８３１からの巻き間隔が狭くなっており、弾性（復元しようとする）エネルギが溜まった状態となって、弾性力Ｆを有するものである。そして、前記フック部材８２の仮停止状態が解除されると、前記ゼンマイ８３２の弾性中心部８３２ａの渦巻き部分が放射状に拡がるよう拡開して〔図２０（Ｄ）参照〕、前記ゼンマイ８３２の弾性エネルギによる弾性力Ｆが前記引張ケーブル８３３に伝達され、前記引張ケーブル８３３によって前記フック部材８２を引張方向に強制移動させることができる〔図２０（Ｃ）参照〕。
【００５４】
また、このぜんまいタイプの弾性引張具８３において、フック部材８２の仮停止状態における前記摺動部材８１の弾性引張具連結部８１４箇所と、前記ドラムケース８３１と引張ケーブル８３３との離間ポイントＱとの間隔をＳａとし、前記フック部材８２が移動終端位置に到達した状態〔図２０（Ｃ）参照〕における前記摺動部材８１の弾性引張具連結部８１４箇所と、前記ドラムケース８３１と引張ケーブル８３３との離間ポイントＱとの間隔をＳｂとすると、前記摺動部材８１の移動距離は（Ｓａ−Ｓｂ）となり、この移動距離をＳｃとする〔図２０（Ｄ）参照〕。
【００５５】
上記のことから、前記ゼンマイ８３２の弾性エネルギは、前記ドラムケース８３１が少なくとも距離Ｓｃ以上に相当する分量の回転数が得られる大きさにすればよい。そして、移動距離Ｓｃは、短いものであり、その移動距離Ｓｃに相当するドラムケース８３１の回転は、略半回転で十分なものとなるように、ドラムケース８３１の直径及びゼンマイ８３２の弾性力が設定されることが好ましい〔図２０（Ｄ）参照〕。
【００５６】
図１６に開示された実施形態は、扉１側に扉支持部材１４を介してクローザ８が装着され、被係合部材９は扉ガイドレール５側に装着されたものである。また、図１７は、図１６の内周ループ部Ｌｉの構成を示すものである。図１８（Ａ）は、キャビネットＡの扉が上方位置に停止している状態を示すものである。図１８（Ｂ）は、キャビネットＡの扉が中間の位置に存在している状態を示すものである。図１９（Ａ）,（Ｂ）は、前記クローザ８が前記扉１側に装着されると共に、前記クローザ８のフック部材８２と係合し且つ仮停止状態を解除してクローザ８内に移動する被係合部材９は前記扉ガイドレール５側の上下両側箇所に装着された実施形態である。
【図面の簡単な説明】
【００５７】
【図１】（Ａ）は本発明の上下スライド扉装置における２枚の扉が閉じた状態の一部断面にした側面図、（Ｂ）は本発明における２枚の扉が高さ方向中間で重り合った状態の一部断面にした側面図である。
【図２】本発明の上下スライド扉装置において扉の一部切除した状態の正面図である。
【図３】本発明の上下スライド扉装置の構成を示す略示図である。
【図４】（Ａ）は本発明の上下スライド扉装置の上部の構成を示す側面図、（Ｂ）は本発明の上下スライド扉装置の下部の構成を示す側面図である。
【図５】（Ａ）は本発明の上下スライド扉装置の横断平面図、（Ｂ）は（Ａ）の要部拡大図である。
【図６】本発明の上下スライド扉装置における扉の一部切除した要部拡大正面図である。
【図７】（Ａ）は前方側の扉の要部斜視図、（Ｂ）は内方側の扉の要部斜視図である。
【図８】扉ガイドレールとバランサガイドレールとが一体化された構造の断面図である。
【図９】本発明の上下スライド扉装置における上部ガイドローラの構成を示す拡大側面図である。
【図１０】（Ａ）バランサの正面図、（Ｂ）は（Ａ）の縦断側面図、（Ｃ）はバランサの板状錘を分離した状態の縦断側面図である。
【図１１】（Ａ）はバランサ案内部に大径ローラを装着したバランサの要部横断平面図、（Ｂ）は（Ａ）の要部拡大図、（Ｃ）は大径ローラの配列構造を示す略示図、（Ｄ）はバランサ案内部に小径ローラを装着したバランサの要部拡大断面図、（Ｅ）は小径ローラの配列構造を示す略示図である。
【図１２】（Ａ）はクローザの内部構造を示す正面図、（Ｂ）はクローザの主要部品の斜視図、（Ｃ）は緩衝部材の斜視図である。
【図１３】（Ａ）はクローザの正面図、（Ｂ）はクローザの背面図である。
【図１４】（Ａ）乃至（Ｃ）はクローザのフック部材に被係合部材が係止してフック部材の仮停止状態が解除されるまでの工程図である。
【図１５】（Ａ）,（Ｂ）はフック部材に係止した被係合部材がクローザケーシング内に引き込まれる状態を示す工程図である。
【図１６】本発明において扉側にクローザを設けた実施形態の側面図である。
【図１７】本発明において扉側にクローザを設けた実施形態の要部拡大側面図である。
【図１８】（Ａ）は扉が上部で閉じた状態のキャビネットの斜視図、（Ｂ）は２つの扉が中間位置で重なり合っている状態のキャビネットの斜視図である。
【図１９】（Ａ）は本発明の上下スライド扉装置において１個の扉からなる実施形態の略示図、（Ｂ）は（Ａ）の上下スライド扉装置がキャビネットに備えられた略示図である。
【図２０】（Ａ）は弾性引張具にゼンマイが使用されたフック部材が仮停止状態のクローザの内部構造を示す正面図、（Ｂ）はフック部材が仮停止状態における弾性引張具の内部構造を示す断面図、（Ｃ）は弾性引張具にゼンマイが使用されたフック部材が仮停止解除状態のクローザの内部構造を示す正面図、（Ｄ）はフック部材が仮停止が解除された状態とした弾性引張具の内部構造を示す断面図である。
【符号の説明】
【００５８】
１…扉、２…上部案内プーリ、２３…テンションプーリ機構、２３ａ…揺動腕部、
２４…螺子部材、２５…螺子受部、３…下部案内プーリ、４…バランサ、
４１…ベース部材、４２…板状錘、５…扉ガイドレール、６…バランサガイドレール、
７…ワイヤ、８…クローザ、８２…フック部材。
【図１】
2007332717.tif 000003
【図２】
2007332717.tif 000004
【図３】
2007332717.tif 000005
【図４】
2007332717.tif 000006
【図５】
2007332717.tif 000007
【図６】
2007332717.tif 000008
【図７】
2007332717.tif 000009
【図８】
2007332717.tif 000010
【図９】
2007332717.tif 000011
【図１０】
2007332717.tif 000012
【図１１】
2007332717.tif 000013
【図１２】
2007332717.tif 000014
【図１３】
2007332717.tif 000015
【図１４】
2007332717.tif 000016
【図１５】
2007332717.tif 000017
【図１６】
2007332717.tif 000018
【図１７】
2007332717.tif 000019
【図１８】
2007332717.tif 000020
【図１９】
2007332717.tif 000021
【図２０】
2007332717.tif 000022